(57)【特許請求の範囲】
【請求項１】
網袋を介して生ゴミを収納可能な容器の開口を塞ぐ生ゴミの容器用蓋において、
弾性樹脂材料で板状に形成され表面から裏面側に向けて使用者の手で折畳み可能な蓋本体を備え、該蓋本体の外周縁の１点から中央側に向けて切込みを形成し、上記蓋本体の表面であって、上記切込みに沿って延びる仮想線を境にした左右に、夫々、使用者の手指が係止可能な係止部を形成したことを特徴とする生ゴミの容器用蓋。
【請求項２】
上記係止部を、上記蓋本体と同じ弾性樹脂材料で該蓋本体に一体形成したことを特徴とする請求項１記載の生ゴミの容器用蓋。
【請求項３】
上記係止部を、両端が上記蓋本体に結合し該蓋本体の表面との間に使用者の手指が挿通可能な挿通孔を形成する帯状部材で形成したことを特徴とする請求項２記載の生ゴミの容器用蓋。
【請求項４】
上記蓋本体が平板状にある状態で、上記切込みを形成し互いに対面する切込み面を密着させたことを特徴とする請求項１乃至３何れかに記載の生ゴミ容器用蓋。
【請求項５】
上記切込みの基端に貫通孔を形成したことを特徴とする請求項４記載の生ゴミ容器用蓋。
【請求項６】
上記蓋本体の外周縁に、上記容器の開口縁の外周に沿う突条を垂設したことを特徴とする請求項１乃至５何れかに記載の生ゴミの容器用蓋。
【請求項７】
上記蓋本体の裏面を、凹凸形成したことを特徴とする請求項１乃至６何れかに記載の生ゴミの容器用蓋。
【請求項８】
上記蓋本体の裏面に、帯状の凹状部と帯状の凸状部とを交互に形成したことを特徴とする請求項７記載の生ゴミの容器用蓋。
【請求項９】
上記弾性樹脂材料は、シリコーン樹脂であることを特徴とする請求項１乃至８何れかに記載の生ゴミの容器用蓋。
【請求項１０】
網袋を介して生ゴミを収納可能な容器と、該容器の開口を塞ぐ容器用蓋とを備えた生ゴミ入れ具において、
上記蓋を、上記請求項１乃至９何れかに記載の生ゴミの容器用蓋で構成したことを特徴とする生ゴミ入れ具。
【発明の詳細な説明】
【技術分野】
【０００１】
本発明は、所謂三角コーナー等といわれ台所のシンク等で使用される生ゴミを収容する容器に係り、特に、この容器に用いられ生ゴミの減容化を図ることのできる容器用蓋及びこれを用いた生ゴミ入れ具に関する。
【背景技術】
【０００２】
従来、この種の生ゴミ入れ具としては、例えば、特許文献１（特開２００６−２７３５１８号公報）に掲載されているものが知られている。これは、図９に示すように、生ゴミを収納可能な容器１００と、この容器１００の開口１０１を塞ぐ蓋１０２とを備えて構成されている。蓋１０２は可撓性の樹脂材料で形成され、撓み易いように等角度間隔で且つ放射方向に３つの切欠き部１０４が形成されている。１０５は中心に設けた把手である。そして、生ゴミの減容化を図るときは、この蓋１０２を使用して生ゴミの上をこの蓋１０２で押えながら生ゴミを容器１００の内部に押し込み、即ち、生ゴミに下方向に力を加えて生ゴミを容器１００の中で圧縮することで生ゴミの減容をしている。
【０００３】
また、従来において、生ゴミを減容する器具として、例えば、特許文献２（特開２００３−２４０１号公報）に掲載されている生ゴミの水絞り器具が知られている。図１０に示すように、この水絞り器具１１０は、カップ状に形成された本体１１１及び本体１１１の中心から突出する筒状の取っ手１１２を備え、この本体１１１及び取っ手１１２に、生ゴミを入れる網袋（図示せず）が挿通される縦方向のネット挿入口１１３を形成したものである。この生ゴミの水絞り用具１１０を用いるときは、上記の特許文献１記載の技術と同様に、生ゴミの上をこの器具１１０の本体１１１の内面１１４で押えながら生ゴミを容器（上記の容器１００と同様）の内部に押し込み生ゴミを容器１００の中で圧縮して減容する。あるいは、生ゴミが網袋に入っているときは、生ごみの容器１００からこれを取り出し、網袋の開口側をネット挿通口１１３から挿通し、一方側の手で網袋の開口側を引っ張りながら、他方の手で取っ手１１２及び本体１１１を反対方向に押し出すことで、本体１１１の内面１１４で網袋を介して生ゴミを押し、網袋内の生ゴミの減容をしている。
【先行技術文献】
【特許文献】
【０００４】
【特許文献１】特開２００６−２７３５１８号公報
【特許文献２】特開２００３−２４０１号公報
【発明の概要】
【発明が解決しようとする課題】
【０００５】
しかしながら、上記前者の特許文献１記載の生ゴミの容器用蓋１０２にあっては、切欠き部１０４の幅が広い構造であるため、容器１００内でごみを減容する際に切欠き部１０４から汚液が染み出て手に付着し易いという問題がある。また、生ゴミを容器１００内に押し付けるので、蓋１０２が容器１００の内壁に接することから、容器１００を損傷する虞があるという問題があった。
一方、上記後者の特許文献２記載の生ゴミの水絞り器具１１０にあっては、容器１００の外でごみの減容・脱水ができるため、容器１００を損傷する問題は解消するものの、ネット挿通口１１３の幅が広い構造であるため汚液が染み出て手に付着し易いという問題がある。また、本体１１１がカップ状でしかも取っ手１１２が大きいためにかさばり、操作性に劣るという問題もあった。また、この器具１１０は容器１００の蓋としても利用できにくく、それだけ、置き場所にも困るという問題がある。
【０００６】
本発明は上記の点に鑑みて為されたもので、容器の蓋としての機能を保持しつつ、生ゴミの容器の外で減容化を行うことができるようにするとともに、汚液が手側に染み出にくくし、減容する際の操作性の向上を図った生ゴミの容器用蓋及び生ゴミ入れ具を提供することを目的とする。
【課題を解決するための手段】
【０００７】
このような目的を達成するための本発明の生ゴミの容器用蓋は、網袋を介して生ゴミを収納可能な容器の開口を塞ぐ生ゴミの容器用蓋において、弾性樹脂材料で板状に形成され表面から裏面側に向けて使用者の手で折畳み可能な蓋本体を備え、該蓋本体の外周縁の１点から中央側に向けて切込みを形成し、上記蓋本体の表面であって、上記切込みに沿って延びる仮想線を境にした左右に、夫々、使用者の手指が係止可能な係止部を形成した構成としている。
【０００８】
これにより、通常の使用時においては、網袋を用い、この網袋を容器に入れ、網袋の開口側を容器の開口縁から外側に折り返して装着する。そして、蓋を容器の開口に被せて塞ぐ。適時に蓋を開けて生ゴミを網袋を介して容器内に収納し、再び蓋を被せる。この場合、蓋は板状なので、コンパクトであり、邪魔になることがない。また、蓋で生ゴミの臭気の発散を抑えることができる。即ち、蓋によって生ごみが隠れるために見た目もよく、臭いも抑えられ、害虫が生ごみ容器内へ侵入することを防ぐことができる。
【０００９】
また、生ゴミを減容するときは、蓋を取外すとともに、容器から生ゴミの入った網袋を取り出す。そして、一方の手で、蓋の蓋本体の左右にある係止部に手指を係止して蓋を持ち、他方の手で網袋の開口側を持ち、この網袋の開口側を蓋本体の切込みに挿通し、他方の手で網袋の開口側を引っ張りながら、一方の手で蓋本体を反対方向に押し出すことで、蓋本体の裏面により網袋を介して生ゴミを押し、網袋内の生ゴミの水分を絞って生ゴミの減容を行う。この場合、蓋本体は弾性樹脂材料で形成され折畳み可能なので、網袋を手で握るように圧縮することで生ごみの減容・脱水をすることができ、それだけ、操作性が良いものとなる。また、手指の係止部が左右にあるので片手で持ち易く、この点でも、操作性が良い。更に、網袋の開口側は、切込みに挿通され、切込みなので広がりにくく、また、手によっても切込みを閉じるようにすることができるので、この切込みから手側に汚液が染み出にくくなり、この点でも操作性が良いものとなる。
そして、減容化したならば、再び、網袋を容器に入れて装着し、生ゴミの収納に供する。あるいは、生ゴミが、網袋に許容量溜まったならば、網袋ごとゴミ箱等に捨てるようにする。この場合、生ゴミは減容化されているので、その後のゴミ処理場などでの焼却処理の効率向上を図ることができる。
【００１０】
そして、必要に応じ、上記係止部を、上記蓋本体と同じ弾性樹脂材料で該蓋本体に一体形成した構成としている。係止部を別体で設けることに比較して、製造が容易であり、係止部の蓋本体に対する支持を強固にすることができる。
【００１１】
また、必要に応じ、上記係止部を、両端が上記蓋本体に結合し該蓋本体の表面との間に使用者の手指が挿通可能な挿通孔を形成する帯状部材で形成した構成としている。
これにより、係止部の挿通孔に手指を差し込むことができるので、手指を確実に引っ掛けることができ、蓋本体の把持が確実になる。そのため、係止部へ手指を通すことでより強く圧縮ができ、生ごみの減容を容易にすることができる。
【００１２】
また、必要に応じ、上記蓋本体が平板状にある状態で、上記切込みを形成し互いに対面する切込み面を密着させた構成としている。これにより、蓋本体により網袋を介して生ゴミを押して網袋内の生ゴミの水分を絞る際、切込みを閉じ易くすることができ、この切込みから手側に汚液をより一層染み出にくくすることができる。
【００１３】
更に、必要に応じ、上記切込みの基端に貫通孔を形成した構成としている。網袋を切込みに引き通した際、貫通孔に網袋をまとめて挿通させ易くなり、蓋本体により網袋を介して生ゴミを押して網袋内の生ゴミの水分を絞る際、貫通孔に網袋が引き通されるので、切込みをより一層閉じ易くすることができ、この点でも、手側に汚液を染み出にくくすることができる。
【００１４】
更に、必要に応じ、上記蓋本体の外周縁に、上記容器の開口縁の外周に沿う突条を垂設した構成としている。容器に蓋を装着した際に、蓋の突条が容器の開口縁の外周に当接するので、動きにくくなり、容器から蓋を外れにくくすることができる。
【００１５】
更にまた、必要に応じ、上記蓋本体の裏面を凹凸形成した構成としている。これにより、平滑な裏面に比べ、凹凸によって生ごみの入った網袋をしごき易くすることができ、それだけ、確実に減容・脱水することができる。
この場合、帯状の凹状部と帯状の凸状部とを交互に形成したことが有効である。凸状部の外縁で生ごみの入った網袋を良くしごくことができ、より一層確実に減容・脱水することができる。
【００１６】
また、上記弾性樹脂材料は、シリコーン樹脂である構成としている。シリコーン樹脂は弾性や撥水性があるため、これにより、蓋の変形を容易にし、水回りで使用することができる。
【００１７】
そしてまた、上記の目的を達成するための本発明の生ゴミ入れ具は、網袋を介して生ゴミを収納可能な容器と、該容器の開口を塞ぐ容器用蓋とを備えた生ゴミ入れ具において、上記蓋を、上記と同様の構成としている。これにより、上記と同様の作用，効果を奏する。
【発明の効果】
【００１８】
本発明によれば、通常時は生ごみ容器に蓋をすることができるので、蓋によって生ごみが隠れるために見た目もよく、臭いも抑えられ、害虫が生ごみ容器内へ侵入することを防ぐことができる。また、蓋を生ごみの減容器としても利用することができ、生ごみの入った網袋を蓋で圧縮し、減容・脱水することができる。この場合、蓋本体に切込みを形成し、その左右に使用者の手指が係止可能な係止部を形成したので、汚液を手側に染み出にくくし、減容する際の操作性の向上を図ることができる。
【図面の簡単な説明】
【００１９】
【図１】本発明の実施の形態に係る生ゴミ入れ具を示す分解斜視図である。
【図２】本発明の実施の形態に係る生ゴミ入れ具の蓋を示す平面図である。
【図３】本発明の実施の形態に係る生ゴミ入れ具の蓋を示す裏面から見た斜視図である。
【図４】本発明の実施の形態に係る生ゴミ入れ具の蓋を示す裏面図である。
【図５】本発明の実施の形態に係る生ゴミ入れ具の蓋を示す側面図である。
【図６】本発明の実施の形態に係る生ゴミ入れ具を示し、容器に網袋を装着し蓋を被せた状態を示す断面図である。
【図７】本発明の実施の形態に係る生ゴミ入れ具の蓋を手で持った状態を示す平面図である。
【図８】本発明の実施の形態に係る生ゴミ入れ具の蓋により生ゴミの減容をしている状態を示す斜視図である。
【図９】従来の生ゴミ入れ具の一例を示す斜視図である。
【図１０】従来の生ゴミの水絞り器具の一例を示す図であり、（ａ）は平面図、（ｂ）は断面図である。
【発明を実施するための形態】
【００２０】
以下、添付図面に基づいて、本発明の実施の形態に係る生ゴミの容器用蓋及び生ゴミ入れ具について詳細に説明する。本実施の形態に係る蓋は、本実施の形態に係る生ゴミ入れ具に用いられるので、この生ゴミ入れ具において説明する。
図１乃至図８に示すように、実施の形態に係る生ゴミ入れ具Ｓは、網袋Ｎを介して生ゴミＷを収納可能な容器１と、容器１の開口２を塞ぐ本発明の実施の形態に係る生ゴミの容器用蓋１０とを備えている。
【００２１】
容器１は、図１及び図６に示すように、所謂三角コーナー等といわれ台所のシンク等で使用されるもので、略二等辺直角三角形状の底壁３と、この底壁３の外周縁から立ち上がり上部に略二等辺直角三角形状の開口２を有した側壁４とを備え、硬質の樹脂で一体形成されている。また、底壁３及び／または側壁４には、水が通過可能な複数の小孔５あるいは複数のスリット６が形成されている。
【００２２】
実施の形態に係る生ゴミ入れ具Ｓの蓋１０は、弾性樹脂材料で形成されるとともに、容器１の開口２と略同形状の略二等辺直角三角形状の板状に形成され、表面１１から裏面１２側に向けて使用者の手で折畳み可能な蓋本体１３を備えている。弾性樹脂材料としては、種々選択してよいが、実施の形態では、シリコーン樹脂にしている。シリコーン樹脂は弾性や撥水性があるため、これにより、蓋１０の変形を容易にし、水回りで使用することができる。
【００２３】
また、この蓋本体１３の外周縁の１点Ｑから中央側に向けて切込み１４が形成されている。具体的には、切込み１４は、蓋本体１３の略直角な頂角の点１３ａから底辺１３ｂ（対辺）に下ろした垂線Ｐａに沿い、底辺１３ｂの１点Ｑ（底辺１３ｂの中央点）から略蓋本体１３の中心まで形成されている。そして、蓋本体１３が平板状にある状態で、切込み１４を形成し互いに対面する切込み面１４ａ，１４ｂは、密着させられている。更に、切込み１４の基端には、小孔である貫通孔１５が形成されている。
【００２４】
更に、蓋本体１３の表面１１であって、切込み１４に沿って延びる仮想線Ｐ（蓋本体１３の略直角な頂角の点１３ａから底辺１３ｂ（対辺）に下ろした垂線Ｐａ）を境にした左右に、夫々、使用者の手指が係止可能な係止部２０が形成されている。この係止部２０は、蓋本体１３と同じ弾性樹脂材料でこの蓋本体１３に一体形成されている。そのため、係止部２０を別体で設けることに比較して、製造が容易であり、係止部２０の蓋本体１３に対する支持を強固にすることができる。
【００２５】
また、係止部２０は、両端が蓋本体１３に結合し蓋本体１３の表面１１との間に使用者の手指が挿通可能な挿通孔２１を形成する帯状部材２２で形成されている。挿通孔２１は同形状で同じ大きさに形成され、一方側の係止部２０の挿通孔２１は、少なくとも一方の手である左手の親指（若しくは、他方側の手である右手の親指以外の２本の指）が挿通される大きさに形成され、他方側の係止部２０の挿通孔２１は、少なくとも他方の手である右手の親指（若しくは、一方の手である左手の親指以外の２本の指）が挿通される大きさに形成されている。
【００２６】
更にまた、蓋本体１３の外周縁には、容器１の開口縁２ａの外周に沿う突条２３が垂設されている。また、蓋本体１３の裏面１２は、凹凸形成されている。具体的には、蓋本体１３の裏面１２には、底辺１３ｂの中央点を中心とする半円形の帯状の凹状部２４と、半円形の帯状の凸状部２５とが交互に形成されている。また、凸状部２５の上記の突条２３に対向する部分には、容器１の開口縁２ａが没入する溝２６が形成されている。
【００２７】
従って、この実施の形態に係る生ゴミ入れ具Ｓによれば、例えば、台所のシンクのコーナー部に置いて、以下のように使用する。
先ず、通常の使用時においては、図１及び図６に示すように網袋Ｎを用い、この網袋Ｎを容器１に入れ、網袋Ｎの開口側を容器１の開口縁２ａから外側に折り返して容器１の内側に装着する。そして、蓋１０を容器１の開口２に被せて塞ぐ。この場合、容器１の開口縁２ａが溝２６に没入するように被せる。これにより、蓋本体１３の突条２３が容器１の開口縁２ａの外周に沿うようになる。そのため、蓋１０の突条２３が容器１の開口縁２ａの外周に当接するので、動きにくくなり、容器１から蓋１０を外れにくくすることができる。そして、適時に蓋１０を開けて調理時に出る水分を含む生ゴミＷ等を網袋Ｎを介して容器１内に収納し、再び蓋１０を被せる。この場合、蓋１０は板状なので、コンパクトであり、邪魔になることがない。また、蓋１０で生ゴミＷの臭気の発散を抑えることができる。即ち、蓋１０によって生ゴミＷが隠れるために見た目もよく、臭いも抑えられ、害虫が容器１内の生ゴミＷへ侵入することを防ぐことができる。
【００２８】
また、生ゴミＷを減容するときは、蓋１０を取外すとともに、容器１から生ゴミＷの入った網袋Ｎを取り出す。そして、図７に示すように、一方の手で、蓋１０の蓋本体１３の左右にある係止部２０に手指を係止して蓋１０を持つ。この場合、係止部２０の貫通孔１５に手指を差し込む。そのため、手指を係止部２０に確実に引っ掛けることができ、蓋本体１３の把持が確実になる。それから、図８に示すように、他方の手で網袋Ｎの開口側を持ち、この網袋Ｎの開口側を蓋本体１３の切込み１４に挿通する。この場合、網袋Ｎの開口側を切込み１４の基端の貫通孔１５まで差し込むように通す。網袋Ｎを切込み１４に引き通した際、貫通孔１５に網袋Ｎをまとめて挿通させ易くなる。
【００２９】
この状態で、図８に示すように、他方の手で網袋Ｎの開口側を引っ張りながら、一方の手で蓋本体１３を反対方向に押し出すことで、蓋本体１３の裏面１２により網袋Ｎを介して生ゴミＷを押し、網袋Ｎ内の生ゴミＷの水分を絞って生ゴミＷの減容を行う。この場合、蓋本体１３は弾性樹脂材料で形成され折畳み可能なので、網袋Ｎを手で握るように圧縮することで生ゴミＷの減容・脱水をすることができ、それだけ、操作性が良いものとなる。また、手指の係止部２０が左右にあるので片手で持ち易く、この点でも、操作性が良い。更に、係止部２０の挿通孔２１に手指を差し込んで絞るので、より強く圧縮ができ、生ゴミＷの減容を容易にすることができる。
【００３０】
そしてまた、網袋Ｎの開口側は、切込み１４に挿通され、切込み１４なので広がりにくく、また、手によっても切込み１４を閉じるようにすることができるので、この切込み１４から手側に汚液が染み出にくくなり、この点でも操作性が良いものとなる。特に、蓋本体１３が平板状にある状態で切込み１４の互いに対面する切込み面１４ａ，１４ｂを密着させているので、生ゴミＷを押して網袋Ｎを絞る際、切込み１４を閉じ易くすることができ、この切込み１４から手側に汚液をより一層染み出にくくすることができる。また、貫通孔１５に網袋Ｎが引き通されるので、切込み１４をより一層閉じ易くすることができ、この点でも、手側に汚液を染み出にくくすることができる。
【００３１】
更にまた、蓋本体１３の裏面１２が凹凸形成されているので、平滑な裏面１２に比べ、凹凸によって生ゴミＷの入った網袋Ｎをしごき易くすることができ、それだけ、確実に減容・脱水することができる。特に、帯状の凹状部２４と帯状の凸状部２５とが交互に形成されているので、凸状部２５の外縁で生ゴミＷの入った網袋Ｎを良くしごくことができ、より一層確実に減容・脱水することができる。
【００３２】
そして、減容化したならば、再び、網袋Ｎを容器１に入れて装着し、生ゴミＷの収納に供する。あるいは、生ゴミＷが、網袋Ｎに許容量溜まったならば、網袋Ｎごとゴミ箱等に捨てるようにする。この場合、生ゴミＷは減容化されているので、その後のゴミ処理場などでの焼却処理の効率向上を図ることができる。
【００３３】
尚、上記実施の形態において、係止部２０の形状は上述した挿通孔２１のものに限定されるものではなく、例えば、フック状に形成する等、適宜変更して差支えない。また、挿通孔２１の大きさも上記に限定されない。更に、蓋本体１３の裏面１２の凹凸形状も上述した形状に限定されるものではなく、エンボス状に形成する等適宜変更して差支えない。また、上記実施の形態に係る蓋１０において、突条２３の内側にある溝２６の幅に余裕を持たせて形成すれば、専用の三角コーナーのみならず既存の三角コーナーにも使用することができることは勿論である。
【符号の説明】
【００３４】
Ｓ  生ゴミ入れ具
Ｎ  網袋
１  容器
２  開口
２a  開口縁
１０  蓋
１１  表面
１２  裏面
１３  蓋本体
Ｑ  外周縁の１点
１４  切込み
１４ａ，１４ｂ  切込み面
Ｐ（Ｐａ）  仮想線（垂線）
１５  貫通孔
２０  係止部
２１  挿通孔
２２  帯状部材
２３  突条
２４  凹状部
２５  凸状部
２６  溝
【要約】
【課題】  容器の蓋としての機能を保持しつつ、生ゴミの容器の外で減容化を行うことができるようにするとともに、汚液が手側に染み出にくくし、減容する際の操作性の向上を図る。
【解決手段】  網袋Ｎを介して生ゴミを収納可能な容器１の開口２を塞ぐ生ゴミの容器用蓋１０において、弾性樹脂材料で板状に形成され表面１１から裏面１２側に向けて使用者の手で折畳み可能な蓋本体１３を備え、蓋本体１３の外周縁の１点Ｑから中央側に向けて切込み１４を形成し、蓋本体１３の表面１１であって、切込み１４に沿って延びる仮想線Ｐを境にした左右に、夫々、使用者の手指が係止可能な係止部２０を形成した。
【選択図】  図１【図１】
0005644972.tif 000002
【図２】
0005644972.tif 000003
【図３】
0005644972.tif 000004
【図４】
0005644972.tif 000005
【図５】
0005644972.tif 000006
【図６】
0005644972.tif 000007
【図７】
0005644972.tif 000008
【図８】
0005644972.tif 000009
【図９】
0005644972.tif 000010
【図１０】
0005644972.tif 000011